(57)【要約】【課題】無線通信システムにおいてデュアルモード端末がＳＭＳを受信する方法を提供すること。【解決手段】この方法は、第１通信網から第１時間情報を受信し、第２通信網から第２時間情報を受信し、前記第１時間情報と前記第２時間情報との誤差平均を計算して保存し、前記第２通信網からのＳＭＳ受信時に、前記ＳＭＳに含まれた時間情報に前記誤差平均を反映した値を、前記第２通信網から受信したＳＭＳの時間情報として設定することからなる。【選択図】図８
2012029275.tif 000002
【特許請求の範囲】
【請求項１】
無線通信システムにおいてデュアルモード端末がショートメッセージサービス（ＳＭＳ）を受信する方法であって、
第１通信網から第１時間情報を受信する段階と、
第２通信網から第２時間情報を受信する段階と、
前記第１時間情報と前記第２時間情報との誤差平均を計算して保存する段階と、
前記第２通信網からのＳＭＳ受信時に、前記ＳＭＳに含まれた時間情報に前記誤差平均を反映した値を、前記第２通信網から受信したＳＭＳの時間情報として設定する段階と、
を含むＳＭＳ受信方法。
【請求項２】
前記第１通信網は、符号分割多元接続（ＣＤＭＡ）通信網であり、
前記第２通信網は、長期進化（ＬＴＥ）通信網であることを特徴とする、請求項１に記載のＳＭＳ受信方法。
【請求項３】
前記ＣＤＭＡ通信網とは信号送受信が不可能であるとき、前記ＬＴＥ通信網からＳＭＳを受信することを特徴とする、請求項２に記載のＳＭＳ受信方法。
【請求項４】
前記ＬＴＥ通信網から受信したＳＭＳの時間情報が、直前に受信したＳＭＳの時間情報よりも前の時間である場合、前記ＬＴＥ通信網から受信したＳＭＳの時間情報を、前記直前に受信したＳＭＳの時間情報として設定する段階をさらに含むことを特徴とする、請求項２に記載のＳＭＳ受信方法。
【請求項５】
無線通信システムにおいてデュアルモード端末がショートメッセージサービス（ＳＭＳ）を受信する方法であって、
符号分割多元接続（ＣＤＭＡ）通信網とは信号送受信が不可能な地域において長期進化（ＬＴＥ）通信網からＳＭＳを受信する段階と、
前記ＳＭＳに含まれた時間情報を獲得する段階と、
前記ＬＴＥ通信網から前記デュアルモード端末までの伝送予想時間を前記時間情報に加算して受信タイムスタンプを計算する段階と、
を含み、
前記伝送予想時間は、送信側に位置する基地局情報と前記デュアルモード端末が接続されている基地局情報とを用いて統計的に計算される値であることを特徴とする、ＳＭＳ受信方法。
【請求項６】
前記の計算された受信タイムスタンプが直前に受信したＳＭＳの受信タイムスタンプよりも前の時間である場合、前記ＬＴＥ通信網からのＳＭＳの受信タイムスタンプを、前記直前に受信したＳＭＳの受信タイムスタンプとして設定する段階をさらに含むことを特徴とする、請求項５に記載のＳＭＳ受信方法。
【請求項７】
無線通信システムのデュアルモード端末であって、
符号分割多元接続（ＣＤＭＡ）通信網と信号を送受信する第１無線通信部と、
長期進化（ＬＴＥ）通信網と信号を送受信する第２無線通信部と、
前記ＬＴＥ通信網から受信した信号及び前記ＣＤＭＡ通信網から受信した信号を処理するプロセッサと、
を含み、
前記プロセッサは、
前記ＣＤＭＡ通信網から受信した第１時間情報と前記ＬＴＥ通信網から受信した第２時間情報との誤差平均を計算して保存し、前記ＬＴＥ通信網からのショートメッセージサービス（ＳＭＳ）受信時に、前記ＳＭＳに含まれた時間情報に前記誤差平均を反映した値を、前記ＬＴＥ通信網から受信したＳＭＳの時間情報として設定することを特徴とする、デュアルモード端末。
【請求項８】
前記ＣＤＭＡ通信網とは信号送受信が不可能であるとき、前記ＬＴＥ通信網からＳＭＳを受信することを特徴とする、請求項７に記載のデュアルモード端末。
【請求項９】
前記プロセッサは、前記ＬＴＥ通信網から受信したＳＭＳの時間情報が、直前に受信したＳＭＳの時間情報よりも前の時間である場合、前記ＬＴＥ通信網からのＳＭＳの時間情報を、前記直前に受信したＳＭＳの時間情報として設定することを特徴とする、請求項７に記載のデュアルモード端末。
【請求項１０】
無線通信システムのデュアルモード端末であって、
符号分割多元接続（ＣＤＭＡ）通信網と信号を送受信する第１無線通信部と、
長期進化（ＬＴＥ）通信網と信号を送受信する第２無線通信部と、
前記ＬＴＥ通信網から受信した信号及び前記ＣＤＭＡ通信網から受信した信号を処理するプロセッサと、
を含み、
前記プロセッサは、前記ＣＤＭＡ通信網とは信号送受信が不可能な地域でＬＴＥ通信網からショートメッセージサービス（ＳＭＳ）を受信する場合、前記ＳＭＳに含まれた時間情報を獲得し、前記ＬＴＥ通信網から前記デュアルモード端末までの伝送予想時間を前記時間情報に加算して受信タイムスタンプを計算し、
前記伝送予想時間は、送信側に位置する基地局情報と前記デュアルモード端末が接続されている基地局情報とを用いて統計的に計算される値であることを特徴とする、デュアルモード端末。
【発明の詳細な説明】
【技術分野】
【０００１】
本発明は、デュアルモード端末に係り、特に、デュアルモード端末においてショートメッセージサービス（ＳＭＳ）を受信する方法及びそのためのデュアルモード端末に関するものである。
【背景技術】
【０００２】
無線移動通信分野では、音声通話のほかにデータ高速送受信の側面においても進化が続いており、現在、第４世代移動体通信技術、例えば、長期進化（ＬＴＥ）無線通信システムが注目を受けている。しかし、第４世代通信網と既に商用化された第３世代通信網とが混在する状況で、移動体通信端末機（移動機）又は移動体通信データカードは、第４世代移動体通信技術のほか、既に商用化されて現在広く用いられている第３世代移動体通信技術も同時に含まなければならない。したがって、次世代移動体通信技術及び既存の移動体通信技術を同時に支援するには、デュアルモデムプロセッサ付き移動機又はデータカードタイプのデバイス（以下、デュアルモード端末）が要求される。
【０００３】
デュアルモード端末は、異なる通信方式に対応する２個のモデムを搭載してそれぞれを用いて無線通信を支援し、異種の通信網が混在する地域で主に使用される。デュアルモード端末の代表としては、ＬＴＥ方式の無線通信及び符号分割多元接続（ＣＤＭＡ）方式の無線通信の両方を利用可能なデバイスが注目を受けている。本発明では、ＬＴＥ網、ＣＤＭＡ網の両方と通信できるマルチモードデバイスを挙げて説明するが、他の方式の無線通信も同様に適用できるということは、本発明の属する技術分野における通常の知識を有する者には明らかである。
【発明の概要】
【発明が解決しようとする課題】
【０００４】
本発明の目的は、デュアルモード端末におけるＳＭＳ受信方法及びそのためのデュアルモード端末を提供することにある。
【０００５】
本発明が達成しようとする技術的課題は、以上に言及した技術的課題に制限されず、言及していない別の技術的課題は、下の記載から、本発明の属する技術の分野における通常の知識を有する者には明らかになるであろう。
【課題を解決するための手段】
【０００６】
本発明の一態様として、無線通信システムでデュアルモード端末がＳＭＳを受信する方法は、第１通信網から第１時間情報を受信する段階と、第２通信網から第２時間情報を受信する段階と、前記第１時間情報と前記第２時間情報との誤差平均を計算して保存する段階と、前記第２通信網からＳＭＳを受信する際、前記ＳＭＳに含まれた時間情報に前記誤差平均を反映した値を、前記第２通信網から受信したＳＭＳの時間情報として設定する段階と、を含み、好ましくは、前記第１通信網は、ＣＤＭＡ通信網であり、前記第２通信網は、ＬＴＥ通信網であることを特徴とする。また、前記ＣＤＭＡ通信網とは信号送受信が不可能であるとき、前記ＬＴＥ通信網からＳＭＳを受信することを特徴とする。
【０００７】
より好ましくは、前記ＬＴＥ通信網からのＳＭＳの時間情報が、直前に受信したＳＭＳの時間情報よりも前の時間である場合、前記ＬＴＥ通信網からのＳＭＳの時間情報を、前記直前に受信したＳＭＳの時間情報として設定する段階をさらに含むことを特徴とする。
【０００８】
一方、本発明の他の態様として、無線通信システムにおいてデュアルモード端末がＳＭＳを受信する方法は、ＣＤＭＡ通信網とは信号送受信が不可能な地域で、ＬＴＥ通信網からＳＭＳを受信する段階と、前記ＳＭＳに含まれた時間情報を獲得する段階と、前記ＬＴＥ通信網から前記デュアルモード端末までの伝送予想時間を前記時間情報に反映して受信タイムスタンプを設定する段階と、を含み、前記伝送予想時間は、送信側に位置する基地局情報と前記デュアルモード端末が接続されている基地局情報とを用いて統計的に計算される値であることを特徴とする。
【０００９】
また、本発明の一態様として、無線通信システムのデュアルモード端末は、ＣＤＭＡ通信網と信号を送受信する第１無線通信部と、ＬＴＥ通信網と信号を送受信する第２無線通信部と、前記ＬＴＥ通信網から受信した信号及び前記ＣＤＭＡ通信網から受信した信号を処理するプロセッサと、を含み、前記プロセッサは、前記ＣＤＭＡ通信網から受信した第１時間情報と前記ＬＴＥ通信網から受信した第２時間情報との誤差平均を計算して保存し、前記ＬＴＥ通信網からＳＭＳを受信する際、前記ＳＭＳに含まれた時間情報に前記誤差平均を反映した値を、前記ＬＴＥ通信網から受信したＳＭＳの時間情報として設定することを特徴とする。好ましくは、前記プロセッサは、前記ＬＴＥ通信網からのＳＭＳの時間情報が、直前に受信したＳＭＳの時間情報よりも前の時間である場合、前記ＬＴＥ通信網からのＳＭＳの時間情報を、前記直前に受信したＳＭＳの時間情報として設定することを特徴とする。
【００１０】
一方、本発明の他の態様として、無線通信システムのデュアルモード端末は、ＣＤＭＡ通信網と信号を送受信する第１無線通信部と、ＬＴＥ通信網と信号を送受信する第２無線通信部と、前記ＬＴＥ通信網から受信した信号及び前記ＣＤＭＡ通信網から受信した信号を処理するためのプロセッサと、を含み、前記プロセッサは、前記ＣＤＭＡ通信網とは信号送受信が不可能な地域でＬＴＥ通信網からＳＭＳを受信する場合、該ＳＭＳに含まれた時間情報を獲得し、前記ＬＴＥ通信網から前記デュアルモード端末までの伝送予想時間を前記時間情報に反映して受信タイムスタンプを設定し、前記伝送予想時間は、送信側に位置する基地局情報と前記デュアルモード端末が接続されている基地局情報とを用いて統計的に計算される値であることを特徴とする。
【図面の簡単な説明】
【００１１】
【図１】進化はん用移動体通信システム（Ｅ−ＵＭＴＳ）の通信網構造を概念的に示す図である。
【図２】進化はん用地上無線接続網（Ｅ−ＵＴＲＡＮ）の通信網構造を概念的に示す図である。
【図３】３ＧＰＰ無線接続網規格に基づく端末とＥ−ＵＴＲＡＮとの間の無線インタフェースプロトコルの制御プレーン及びユーザプレーンの構造を示す図である。
【図４】３ＧＰＰ無線接続網規格に基づく端末とＥ−ＵＴＲＡＮとの間の無線インタフェースプロトコルの制御プレーン及びユーザプレーンの構造を示す図である。
【図５】本発明に係るデュアルモード端末機の構造を示す図である。
【図６】ＣＤＭＡ通信網だけを支援する従来の端末装置でのＳＭＳ受信方法を示す図である。
【図７】一般のデュアルモード端末装置で発生しうる問題点を説明するための図である。
【図８】本発明の一実施例によってデュアルモード端末においてＳＭＳを受信する方法を示す図である。
【図９】本発明の他の実施例によってデュアルモード端末においてＳＭＳを受信する方法を示す図である。
【図１０】本発明の一実施例による端末装置を示すブロック図である。
【発明を実施するための形態】
【００１２】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を示すものではない。以下の詳細な説明は、本発明の完全な理解を提供するために具体的な細部事項を含む。しかし、それらの具体的な細部事項なしにも本発明を実施できるということが当業者には理解される。例えば、以下の詳細な説明は、主な移動体通信システムを３ＧＰＰ  ＬＴＥシステムとして具体的に説明するが、３ＧＰＰ  ＬＴＥに特有の事項以外は、他の任意の移動通信システムにも適用可能である。
場合によっては、本発明の概念が曖昧になることを避けるために公知の構造及び装置を省略したり、各構造及び装置の核心機能を中心にしたブロック図の形式で示したりすることがある。なお、本明細書全体を通じて同一の構成要素については同一の図面符号を共通使用して説明する。
【００１３】
なお、以下の説明において、端末は、ユーザ装置（ＵＥ）、移動機（ＭＳ）などの移動型又は固定型のユーザ端の機器を総称するものとする。また、基地局は、Ｎｏｄｅ  Ｂ、ｅＮｏｄｅ  Ｂ、Ｂａｓｅ  Ｓｔａｔｉｏｎなどを含め、端末と通信する通信網側の任意のノードを総称するものとする。
【００１４】
本発明を説明するに先立ち、以下では、本発明が適用される技術分野であるＥ−ＵＭＴＳ及びそれに関する技術的特徴について説明する。
【００１５】
図１は、Ｅ−ＵＭＴＳの通信網構造を概念的に示す図である。特に、Ｅ−ＵＭＴＳは、既存のＷＣＤＭＡ  ＵＭＴＳから進化したシステムで、現在、第３世代パートナシッププロジェクト（３ＧＰＰ）で基礎的な標準化作業が行われている。Ｅ−ＵＭＴＳは、ＬＴＥシステムとも呼ばれる。ＵＭＴＳ及びＥ−ＵＭＴＳの技術規格の詳細な内容はそれぞれ、“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ”のＲｅｌｅａｓｅ  ７及びＲｅｌｅａｓｅ  ８を参照されたい。
【００１６】
図１を参照すると、Ｅ−ＵＭＴＳは、大きく、端末（ＵＥ）、セル（ｅＮｏｄｅ  Ｂ）、及び通信網（Ｅ−ＵＴＲＡＮ）の終端に位置して外部通信網と接続される接続ゲートウェイ（以下、“ＡＧ”と略す。）で構成される。通常、ｅＮｏｄｅ  Ｂは、ブロードキャストサービス、マルチキャストサービス及び／又はユニキャストサービスのために多重データストリームを同時送信することができる。ｅＮｏｄｅ  Ｂ間にはユーザ情報又は制御情報の伝送のためのインターフェースが使用されることがある。
【００１７】
ＡＧは、ユーザ情報処理を担当する部分と制御用情報を処理する部分とに分けることができる。ここで、新しいユーザ情報処理のためのＡＧと制御用情報を処理するＡＧとの間に新しいインタフェースを使用して相互通信することができる。また、ＡＧは、追跡範囲（ＴＡ）単位で端末の移動性を管理し、ＴＡは複数のセルで構成される。端末は、特定ＴＡから別のＴＡに移動する場合、ＡＧに自身の位置しているＴＡが変更されたことを知らせる。
【００１８】
基幹網（ＣＮ）は、ＡＧ、ＵＥのユーザ登録などのための通信網ノード、などで構成することができ、Ｅ−ＵＴＲＡＮとＣＮとを区分するためのインタフェースが使用されることがある。
【００１９】
図２は、Ｅ−ＵＴＲＡＮの通信網構造を概念的に示す図である。
【００２０】
図２を参照すると、Ｅ−ＵＴＲＡＮシステムは、既存ＵＴＲＡＮシステムから進化したシステムである。Ｅ−ＵＴＲＡＮは、セル（ｅＮＢ）で構成され、これらセルは、Ｘ２インタフェースを介して接続される。セルは、無線インタフェースを介して端末に接続され、Ｓ１インターフェースを介して進化パケットコア（ＥＰＣ）に接続される。
【００２１】
ＥＰＣは、移動性管理エンティティ（ＭＭＥ）、サービス提供ゲートウェイ（Ｓ−ＧＷ）及びパケットデータ網ゲートウェイ（ＰＤＮ−ＧＷ）で構成される。ＭＭＥは、端末の接続情報や端末の能力に関する情報を有しており、この情報は端末の移動性管理に主として用いられる。Ｓ−ＧＷは、Ｅ−ＵＴＲＡＮを終端点とするゲートウェイであり、ＰＤＮ−ＧＷは、ＰＤＮを終端点とするゲートウェイである。
【００２２】
図３及び図４は、３ＧＰＰ無線接続網規格に基づく端末とＥ−ＵＴＲＡＮとの間の無線インタフェースプロトコルの制御プレーン及びユーザプレーンの構造を示す図である。特に、無線インタフェースプロトコルは、垂直的に、物理層、データリンク層及びネットワーク層からなり、水平的には、データ情報伝送のためのユーザプレーンと、制御信号伝送のための制御プレーンとに区別される。
【００２３】
また、図３及び４のプロトコル層は、通信システムで広く知られた開放型システム間相互接続（ＯＳＩ）基準モデルに基づくもので、下位の３層を、Ｌ１（第１層）、Ｌ２（第２層）、Ｌ３（第３層）に区別することができる。
【００２４】
制御プレーンとは、端末及びネットワークが呼を管理するために用いる制御メッセージが伝送される通信路のことを意味する。ユーザプレーンは、アプリケーション層で生成されたデータ、例えば、音声データ又はインターネットパケットデータなどが伝送される通信路のことを意味する。以下、無線プロトコルの制御プレーン及びユーザプレーンの各層について説明する。
【００２５】
第１層である物理層は、物理チャネルを用いて上位層に情報転送サービスを提供する。物理層は、上位にある媒体接続制御（ＭＡＣ）層とは伝送チャネルを通じて接続されている。この伝送チャネルを通じてＭＡＣ層と物理層との間でデータが移動する。送信側と受信側の物理層間は、物理チャネルを通じてデータが移動する。この物理チャネルは、直交周波数分割多重（ＯＦＤＭ）方式で変調され、時間及び周波数を無線リソースとして用いる。
【００２６】
第２層のＭＡＣ層は、論理チャネルを通じて上位層である無線リンク制御（ＲＬＣ）層にサービスを提供する。第２層のＲＬＣ層は、信頼性あるデータ伝送を支援する。ＲＬＣ層の機能を、ＭＡＣ内部の機能ブロックとすることもできる。この場合、ＲＬＣ層は存在しなくて済む。第２層のパケットデータ融合プロトコル（ＰＤＣＰ）層は、ＩＰｖ４やＩＰｖ６のようなＩＰパケットの伝送時に、帯域幅の狭い無線インタフェースで効率的に伝送するために余分の制御情報を減らすヘッダ圧縮機能を果たす。
【００２７】
第３層の最下部に位置する無線リソース制御（ＲＲＣ）層は、制御プレーンでだけ定義され、無線ベアラ（ＲＢ）の構成、再構成及び解除と関連して論理チャネル、伝送チャネル及び物理チャネルの制御を担当する。無線ベアラは、端末とＥ−ＵＴＲＡＮ間のデータ伝送のために第２層により提供されるサービスを意味する。このために、ＲＲＣ層は、端末と通信網との間においてＲＲＣメッセージを交換する。
【００２８】
図３で、ＲＲＣ層の上位にある非接続層（ＮＡＳ）は、セッション管理、移動性管理などの機能を果たす。ＮＡＳは、端末及び通信網の移動性管理エンティティ（ＭＭＥ）に存在する。
【００２９】
ＭＭＥは、ＬＴＥ接続ネットワークにおいて核心的な制御ノードである。ＭＭＥは、休止状態にある端末に対する追跡プロセス及び呼出し（ｐａｇｉｎｇ）プロセスなどを担当する。また、ＭＭＥは、無線ベアラ活性化／非活性化プロセスに関与し、初期接続時に、又は基幹網再配置を含むＬＴＥ内ハンドオーバ時に、端末に対するサービス提供ゲートウェイ（ＳＧＷ）選択を担当する。ＭＭＥは、帰属加入者サーバ（ＨＳＳ）との相互作用を通じて端末認証を行う。ＮＡＳ制御信号はＭＭＥで終結し、ＭＭＥは臨時識別子を生成して端末に割り当てる役割を果たす。ＭＭＥは、端末がサービスプロバイダの公衆地上移動体網（ＰＬＭＮ）にキャンプ−オンできる権限があるか確認する。ＭＭＥは、通信網においてＮＡＳ制御信号のための暗号化／完全性保護のための終結点であり、セキュリティ鍵管理を担当する。ＭＭＥは、ＬＴＥと２Ｇ／３Ｇ接続網と間の移動性のための制御プレーン機能を提供する。
【００３０】
ＮＡＳでは、端末の移動性管理のために進化パケットシステム（ＥＰＳ）移動性管理（ＥＭＭ）登録状態（ＥＭＭ−ＲＥＧＩＳＴＥＲＥＤ）及びＥＭＭ未登録状態（ＥＭＭ−ＵＮＲＥＧＩＳＴＥＲＥＤ）の２状態が定義されており、この２状態は、端末及びＭＭＥに適用される。初期の端末はＥＭＭ未登録状態であり、この端末が通信網に接続するために初期接続手続きを通じて該当のネットワークに登録する過程を行う。接続手続きに成功すると、端末及びＭＭＥはＥＭＭ登録状態となる。
【００３１】
また、ＮＡＳでは、端末とＥＰＣとの間の制御信号接続を管理するために、ＥＰＳ接続管理（ＥＣＭ）休止状態（ＥＣＭ＿ＩＤＬＥ）及びＥＣＭ接続状態（ＥＣＭ＿ＣＯＮＮＥＣＴＥＤ）の２状態が定義されており、この２状態は、端末及びＭＭＥに適用される。ＥＣＭ休止状態の端末がＥ−ＵＴＲＡＮとＲＲＣ接続をすると、当該端末はＥＣＭ接続状態となる。ＥＣＭ休止状態にあるＭＭＥは、Ｅ−ＵＴＲＡＮとＳ１接続をすると、ＥＣＭ接続状態となる。端末がＥＣＭ休止状態にある時には、Ｅ−ＵＴＲＡＮは端末のコンテクストを持っていない。したがって、ＥＣＭ休止状態の端末は、通信網の命令を受けることなく、セル選択又はセル再選択手順のような端末主導の移動性関連手順を行う。一方、端末がＥＣＭ接続状態にある時には、端末の移動性は通信網の命令によって管理される。ＥＣＭ休止状態において、端末の位置が通信網が知っている位置と異なる場合、端末はＴＡ更新手順を通じて通信網に端末の当該位置を知らせる。
【００３２】
図５は、本発明に係るデュアルモード端末の構造を示す図である。
【００３３】
図５を参照すると、デュアルモード端末は、アプリケーションプロセッサ、ＬＴＥ通信網から受信した信号を処理するためのＬＴＥプロセッサ、及びＣＤＭＡ通信網から受信した信号を処理するためのＣＤＭＡプロセッサを含むことができる。
【００３４】
アプリケーションプロセッサは、デュアルモード端末の内部でハードウェア的に一体のモジュールとして構成してもよいし、又は、ＰＣに含まれてデュアルモード端末と独立して構成してもよい。また、アプリケーションプロセッサは、通信網環境に応じてＣＤＭＡ通信網又はＬＴＥ通信網への接続状態を管理し制御するための接続マネージャ（ＣＭ）を含むことができる。
【００３５】
より具体的に、ＣＭは、網接続状態に応じて、アプリケーション及び２つのプロセッサのうちの一方（ＣＤＭＡプロセッサあるいはＬＴＥプロセッサ）との間のデータを送受信するための切替機能を担当する。すなわち、デュアルモード端末がＣＤＭＡ通信網と接続されている場合には、ＣＤＭＡプロセッサとアプリケーションとが接続されるようにアプリケーションデータをＡインタフェースで送受信し、デュアルモード端末がＬＴＥネットワークに接続されている場合には、ＬＴＥプロセッサとアプリケーションとが接続されるようにアプリケーションデータをＢインタフェースで送受信する。
【００３６】
ホストインタフェースは、ＣＤＭＡプロセッサとＬＴＥプロセッサとの間に位置し、両プロセッサ間の制御信号及びデータ信号の伝送のために使用される。
【００３７】
図６は、ＣＤＭＡ通信網だけを支援する従来の端末装置でＳＭＳを受信する方法を示す図である。
【００３８】
図６を参照すると、ＣＤＭＡ通信網との信号送受信だけを支援する従来の端末装置は、段階６０１のように、同期方式のＣＤＭＡ通信網から時間情報を受信して時間同期を行う。その後、段階６０２で、ＣＤＭＡ通信網からＳＭＳを受信した場合、段階６０３で、行った時間同期によってＳＭＳを受信した時間、すなわち、タイムスタンプをユーザに表示することができる。
【００３９】
図７は、一般のデュアルモード端末で発生しうる問題点を説明するための図である。
【００４０】
図７を参照すると、デュアルモード端末の場合であっても、システム時間を設定するために、同期方式のＣＤＭＡ通信網を基準にして移動機の時間を時間同期させる。したがって、端末装置の初期駆動時にＣＤＭＡ通信網と接続できなかった場合、端末装置のシステム時間は時間同期を行うことができない。
【００４１】
しかし、デュアルモード端末がＣＤＭＡ通信網と接続できなかった場合は、ＬＴＥ通信網との接続だけが可能な領域に位置する場合である確率が高いから、ＬＴＥ通信網からのＳＭＳ受信は可能である。もちろん、ＬＴＥ通信網からも時間情報を伝送するが、ＣＤＭＡ通信網から伝送する時間情報とは差があり、且つ、ＬＴＥ通信網が基本的に非同期方式であるから、デュアルモード端末がＳＭＳを受信した時間、すなわち、タイムスタンプが不正確であるという問題点が生じうる。
【００４２】
次に、このような問題点を解決するためのデュアルモード端末におけるＳＭＳ受信方法について説明する。
【００４３】
図８は、本発明の一実施例によってデュアルモード端末においてＳＭＳを受信する方法を示す図である。デュアルモード端末がＣＤＭＡ通信網及びＬＴＥ通信網双方に接続可能な領域に位置しているとする。
【００４４】
図８を参照すると、まず、段階８０１のように、同期方式のＣＤＭＡ通信網から時間情報を受信して時間同期を行う。一方、デュアルモード端末装置がＬＴＥ通信網にも接続できるときは、ＬＴＥ通信網からも時間情報を受信する。
【００４５】
この場合、段階８０２のように、ＬＴＥ通信網から受信した時間情報とＣＤＭＡ通信網から受信した時間情報との誤差を計算し、下記の式１のように誤差平均値を保存する。
【００４６】
CDMA_LTE_Diff = average(CDMA time - LTE Time)                （式１）
【００４７】
したがって、本発明のデュアルモード端末は、図７に示すように、ＣＤＭＡ通信網に接続できなかったにもかかわらずにＬＴＥ通信網からＳＭＳを受信する場合、ＬＴＥ通信網から受信した時間情報及び誤差平均値によってタイムスタンプを計算して、ＬＴＥ通信網から受信したＳＭＳに表示することができる。これは式２で表現することができる。
【００４８】
Stamp Time = LTE Time + CDMA_LTE_Dif                          （式２）
【００４９】
図９は、本発明の他の実施例によってデュアルモード端末においてＳＭＳを受信する方法を示す図である。特に、図９は、デュアルモード端末装置がＬＴＥ通信網との接続だけが可能な領域に位置しているとする。同様に、デュアルモード端末の初期駆動時にＣＤＭＡ通信網と接続できなかった場合では、端末装置のシステム時間は時間同期を行うことができない。
【００５０】
図９を参照すると、ＬＴＥ通信網から受信したＳＭＳは、送信側からＳＭＳを送信した時間に関する情報を含むことができる。この場合、この送信時間に伝送予想時間を加算して受信タイムスタンプを計算することもできる。
【００５１】
ここで、伝送予想時間は、端末機メーカーによって既に設定された値であってもよいし、送信側に位置する基地局情報と、受信側にあるデュアルモード端末が接続されている基地局情報とを用いて統計的に計算される値であってもよい。
【００５２】
すなわち、最終的に計算して表示されるタイムスタンプは、下記の式３のように表現することができる。
【００５３】
Stamp Time = SMS Sending Time + Transmission Duration Expectation Time
（式３）
【００５４】
一方、上記の式２及び式３で計算されるタイムスタンプ値が、デュアルモード端末が直前に受信したＳＭＳのタイムスタンプよりも前の時間として計算されることもある。この場合は、デュアルモード端末はタイムスタンプ誤りであると判断し、直前に受信したＳＭＳのタイムスタンプを、受信したＳＭＳのタイムスタンプに取り替えることもできる。
【００５５】
図１０は、本発明の一実施例による端末装置を示すブロック図である。
【００５６】
図１０を参照すると、端末装置１０００は、プロセッサ１０１０、メモリ１０２０、ＲＦモジュール１０３０、ディスプレイモジュール１０４０及びユーザインタフェースモジュール１０５０を含む。この端末装置１０００は説明の便宜を提供するために示されたもので、一部のモジュールを省略してもよく、必要なモジュールをさらに含むこともできる。また、端末装置１０００において一部のモジュールはより細分化することもできる。プロセッサ１０１０は、ＬＴＥ網と通信するためのＬＴＥプロセッサとＣＤＭＡ網と通信するためのＣＤＭＡプロセッサとを別個に含むことができ、上述した本発明の実施例に係る動作を行えるように構成される。
【００５７】
メモリ１０２０は、プロセッサ１０１０に接続され、オペレーティングシステム、アプリケーション、プログラムコード、データなどを保存する。ＲＦモジュール１０３０は、プロセッサ１０１０に接続され、基底帯域信号を無線信号に変換したり、無線信号を基底帯域信号に変換する機能を担う。このために、ＲＦモジュール１０３０は、アナログ変換、増幅、ろ波及び周波数上方変換を行ったり、これらの逆過程を行ったりする。ディスプレイモジュール１０４０は、プロセッサ１０１０に接続され、種々の情報を表示する。ディスプレイモジュール１０４０は、特に限定されず、液晶（ＬＣＤ）、発光ダイオード（ＬＥＤ）、有機ＬＥＤ（ＯＬＥＤ）のような周知の要素であってよい。ユーザインタフェースモジュール１０５０は、プロセッサ１０１０に接続され、キーパッド、タッチスクリーンなどのような周知のユーザインタフェースの組み合わせであってよい。
【００５８】
以上で説明された実施例は、本発明の構成要素及び特徴が所定の形態で結合されたものである。各構成要素又は特徴は、別の明示的な言及がない限り、選択的なものとして考慮しなければならない。各構成要素又は特徴は、他の構成要素又は特徴と結合しない形態で実施してもよい。また、一部の構成要素及び／又は特徴を結合して本発明の実施例を構成することも可能である。本発明の実施例で説明される動作の順序は変更可能である。ある実施例の一部構成又は特徴は他の実施例に含めることもでき、他の実施例の対応する構成又は特徴に取り替えることもできる。特許請求の範囲において明示的な引用関係を有しない請求項は結合して実施例を構成することもでき、出願後の補正によって新しい請求項として含めることも可能であることは自明である。
【００５９】
本文書で、本発明の実施例は、主に、基地局と端末とのデータ送受信関係を中心に説明された。本文書で基地局によって行われると説明された特定動作は、場合によっては、基地局の上位ノードによって行うこともできる。すなわち、基地局を含む複数の通信網ノードからなる通信網において端末との通信のために行われる様々な動作は、基地局又は基地局以外の通信網ノードによって行われることもできることは自明である。「基地局」は、固定局、Ｎｏｄｅ  Ｂ、ｅＮｏｄｅ  Ｂ（ｅＮＢ）、アクセスポイントなどの用語にすることもできる。また、端末は、ＵＥ、ＭＳ、移動体加入者局（ＭＳＳ）などの用語にすることもできる。
【００６０】
本発明による実施例は、様々な手段、例えば、ハードウェア、ファームウェア、ソフトウェア又はそれらの結合などによって具現することができる。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、プログラム可能ゲートアレイ（ＦＰＧＡ）、プロセッサ、コントローラ、マイクロコントローラ、マイクロプロセッサなどによって具現することができる。
【００６１】
ファームウェアやソフトウェアによる具現の場合、本発明の一実施例は、以上で説明された機能又は動作を行うモジュール、手続き、関数などの形態で具現することができる。ソフトウェアコードは、メモリユニットに記憶されて、プロセッサによって駆動されることができる。メモリユニットは、プロセッサの内部又は外部に設けられて、公知の様々な手段によってプロセッサとデータを交換することができる。
【産業上の利用可能性】
【００６２】
本発明は、本発明の精神及び必須特徴を逸脱しない範囲で、別の特定の形態に具体化できることは、当業者にとっては明らかである。よって、上記の詳細な説明は、いずれの面においても制限的に解釈してはならず、例示的なものとして考慮しなければならない。本発明の範囲は、添付した請求項の合理的解釈によって定められるべきであり、本発明の等価的範囲内における変更はいずれも、本発明の範囲に含まれる。
【符号の説明】
【００６３】
１０００    端末装置
１０１０    プロセッサ
１０２０    メモリ
１０３０    ＲＦモジュール
１０４０    ディスプレイモジュール
１０５０    ユーザインタフェースモジュール
【図１】
2012029275.tif 000003
【図２】
2012029275.tif 000004
【図３】
2012029275.tif 000005
【図４】
2012029275.tif 000006
【図５】
2012029275.tif 000007
【図６】
2012029275.tif 000008
【図７】
2012029275.tif 000009
【図８】
2012029275.tif 000010
【図９】
2012029275.tif 000011
【図１０】
2012029275.tif 000012